(57)【特許請求の範囲】
【請求項１】
円筒形のケース本体と、前記ケース本体内の上部に固定したプレートと、前記プレートに固定したクリップとを備えた吊下部ケースに、振動減衰ケーブルにより水中受波器を連結した水中受波器吊下構造において、
前記プレートを固定した位置より下方で前記ケース本体の内面に接触するホルダーと吊下紐を設け、前記吊下紐の一端が前記クリップに接続され、他端側が前記ホルダーにセンターでホールドされると共に他端が前記振動減衰ケーブルに接続され、
前記ケース本体を前記吊下紐を介して前記クリップの吊下紐接続点及び前記ホルダーのセンターで２点支持したことを特徴とする水中受波器吊下構造。
【請求項２】
前記ホルダーが前記ケース本体に外周部が接触する円盤状に形成されたことを特徴とする請求項１記載の水中受波器吊下構造。
【請求項３】
前記ホルダーが前記ケース本体に外角部が接触する多角形状又は十字形状に形成されたことを特徴とする請求項１記載の水中受波器吊下構造。
【請求項４】
前記ホルダーが前記吊下紐をセンターでホールドした状態で前記ケース本体内を上下方向にスライド可能に構成されたことを特徴とする請求項１〜３のいずれかに記載の水中受波器吊下構造。
【発明の詳細な説明】
【０００１】
【発明の属する技術分野】
本発明は水中音響センサ用ブイシステムにおける水中受波器吊下構造に関するものである。
【０００２】
図２は一般的な水中音響センサ用ブイシステムの展張状態を示す図で、水中音響センサ用ブイシステムは、水中受波器１と浮上部２と吊下ケーブル３とダンパ４と振動減衰ケーブル５と吊下部ケース６で構成されている。
【０００３】
水中受波器１は水中の音響信号を受信し、電気信号に変換するものであり、浮上部２は水中受波器１からの電気信号を電波として船舶、航空機または陸上局等に送信するためのもので、浮力を有している。吊下ケーブル３は水中受波器１を所定の深度に吊下するためのものである。
【０００４】
また、ダンパ４は波浪等による浮上部２の上下動振動が水中受波器１に伝達するのを抑制するための手段であり、螺旋状にフォーミングされバネ性を有する振動減衰ケーブル５と共に振動減衰系を構成している。
【０００５】
吊下部ケース６には、水中受波器１が振動減衰ケーブル５により連結され、ブイシステムが水中で展張する前は吊下ケーブル３、振動減衰ケーブル５及びダンパ４が収納保持されている。このような構成から成る水中音響センサ用ブイシステムは水中での展張前は図示せぬ筒状の収納容器に全体が収納され、保管されている。
【０００６】
【従来の技術】
図３は水中音響センサ用ブイシステムにおける従来の吊下部ケースを示す図で、一部を破断して内部を表示している。
【０００７】
吊下部ケースは円筒形のケース本体７と、ケース本体７にネジ又はリベット等により強固に固定したプレート８と、プレート８にネジ又はリベット等により強固に固定したクリップ９とを備えている。
【０００８】
コバク紐１０は片端が吊下ケーブル３に、もう一方の片端がクリップ９に結び付けられている。なお、クリップ９には振動減衰ケーブル５も結び付けられており、クリップ９はコバク紐１０と振動減衰ケーブル５との機械的な接続部を成している。
【０００９】
【発明が解決しようとする課題】
しかしながら、従来の水中音響センサ用ブイシステムにおける吊下部ケースでは以下の問題があった。
【００１０】
波浪等により浮上部２が上下動振動した際、吊下ケーブル３及びコバク紐１０にて浮上部２と連結されている吊下部ケース６は浮上部２と同様な上下動振動を行う。なお、吊下部ケース６の下方向への移動は、振動減衰ケーブル５のバネ性（復元力）による強制的な運動によるものである。
【００１１】
このような上下動振動が水中にて繰り返されると、ケース本体７は流体抵抗等によりクリップ９の接続点を支点とした横揺れを起こす。この時、ケース本体７の端部が吊下ケーブル３または振動減衰ケーブル５に衝突し、パルス状の振動を発生する。この振動がダンパ４を経由し、水中受波器１へ伝達することにより、水中受波器１の音響性能が劣化するという問題があった。
【００１２】
【課題を解決するための手段】
上記した課題を解決するため、本発明は、円筒形のケース本体と、ケース本体内の上部に固定したプレートと、プレートに固定したクリップとを備えた吊下部ケースに、振動減衰ケーブルにより水中受波器を連結した水中受波器吊下構造において、プレートを固定した位置より下方でケース本体の内面に接触するホルダーと吊下紐を設け、吊下紐の一端がクリップに接続され、他端側がホルダーにセンターでホールドされると共に他端が振動減衰ケーブルに接続され、ケース本体を吊下紐を介してクリップの吊下紐接続点及びホルダーのセンターで２点支持したものである。
【００１３】
【発明の実施の形態】
図１は本発明の実施形態を示す図で、水中音響センサ用ブイシステムにおける吊下部ケースの一部を破断して内部を表示した図である。
【００１４】
図３に示した構成要素と同じものには同じ符号を付すことにより説明を省略する。
【００１５】
吊下紐１１は柔軟性のあるナイロン、ケブラー（いずれも商品名）等の材質で形成され、一端がクリップ９に結び付けられ、他端がホルダー１２にセンターでホールドされると共に他端が振動減衰ケーブル５に結び付けられている。
【００１６】
ホルダー１２はポリプロピレン等のある程度柔軟性を有するプラスチックで形成され、ケース本体７に接触するように円盤状に形成されている。
【００１７】
ホルダー１２の形状は、円盤状にすると円周部がケース本体７に接触するので好ましいが、多角形状又は十字形状であっても良い。
【００１８】
ホルダー１２の中心部には突起物１３が形成され、突起物１３のセンターには吊下紐１１及び吊下ケーブル３が貫通する穴があけられている。
【００１９】
吊下紐１１はこの穴を通した後、結び目を作って突起物１３にホールドすることによりホルダー１２のセンターでホールドされた状態になる。
【００２０】
ホルダー１２は吊下紐１１をセンターでホールドした状態で、その円周部をケース本体７の内面に接触させながら上下方向にスライド可能に構成され、ケース本体７内に収納されている。
【００２１】
なお、振動減衰ケーブル５は、ホルダー１２を通った吊下ケーブル３と吊下紐１１に結び付けられており、ホルダー１２を上方向にケース本体７内を滑らせることにより吊下部ケースに吊下ケーブル３、吊下紐１１、ホルダー１２、振動減衰ケーブル５等を収納することができる。
【００２２】
このように構成すると、吊下部ケースでは、吊下紐１１の一端がクリップ９に接続され、他端側がホルダー１２によりセンターでホールドされると共に他端が振動減衰ケーブル５に接続され、かつ、ホルダー１２がケース本体７と円周接触する。
【００２３】
そのため、ケース本体７は吊下紐１１を介してクリップ９の吊下紐接続点及びホルダー１２のセンターで２点支持されて吊下されることになり、上下振動によるケース本体７の横揺れは抑制される。
【００２４】
ホルダー１２を多角形状又は十字形状にした場合には、その外角部がケース本体７に接触するので同様の効果を得ることができる。
【００２５】
また、上記した実施形態では、コバク紐１０と吊下紐１１を別体として説明したが、コバク紐１０をクリップ９に結びつけた後、延長してホルダー１２のセンターでホールドし、振動減衰ケーブル５に接続しても良い。この場合には、クリップ９の接続点から減衰ケーブル５の接続点までが吊下紐１１に相当することになる。
【００２６】
以上のように、実施形態によれば、吊下紐１１、クリップ９及びホルダー１２によりケース本体７を２点支持することにより、図２に示した吊下部ケース６の上下振動時におけるケース本体７の横揺れは抑制される。ゆえに従来のようなケース本体の横揺れによるパルス状の振動を抑制し、水中受波器１の音響性能劣化を防止することができる。
【００２７】
【発明の効果】
上記したように、本発明によれば、ケース本体の横揺れが抑制されるので水中受波器の音響性能の劣化を防止することができ、水中音響センサ用ブイシステム、特に加速度センサを用いた水中受波器吊下ブイシステムに適用して効果が大きい。
【図面の簡単な説明】
【図１】本発明の実施形態を示す図
【図２】水中音響センサ用ブイシステムの展張状態図
【図３】従来の吊下部ケースを示す図
【符号の説明】
１    水中受波器
２    浮上部
３    吊下ケーブル
４    ダンパ
５    振動減衰ケーブル
６    吊下部ケース
７    ケース本体
８    プレート
９    クリップ
１０    コバク紐
１１    吊下紐
１２    ホルダー
１３    突起物
【図１】
0004374771.tif 000002
【図２】
0004374771.tif 000003
【図３】
0004374771.tif 000004